(57)【要約】【課題】キャップ装着時のキャップ内部の圧力上昇を十分に回避できるとともに、クリップの挟持力の低下を抑止できる筆記具用キャップを提供する。【解決手段】記頭冠６の筒状部６２が、内筒部４外周面と外筒部３内周面との間の環状隙間に挿入され、頭冠６の窓孔６２ａから板状リブ６３ａに至る、筒状部６２の外周面とキャップ本体２の外筒部３内周面との間に通気路７が形成され、それと同時に、板状リブ６３ａが係合孔３１に挿入されて、板状リブ６３ａと係合孔３１の広幅部３１ａとの間に外孔３ａが形成され、シール部５１が内孔４１を塞いでいない状態において、内孔４１と窓孔６２ａと通気路７と外孔とを介して、キャップ本体２内部と外気とが連通される。【選択図】  図１
2014008667.tif 000002
【特許請求の範囲】
【請求項１】
キャップ本体と、該キャップ本体の前部に固着される頭冠と、前記キャップ本体内に軸方向可動に収容される内キャップとを備え、前記キャップ本体が、両端が開口する外筒部と、該外筒部の中間部内壁より前方に連設される内筒部とを備え、前記内筒部の頂壁に軸方向に貫通する内孔を設け、前記内キャップの外面に、前記内筒部の頂壁に圧接可能なシール部を設け、筆記具本体のペン先側に装着した状態において、前記内キャップのシール部が前記内孔を塞いでなる筆記具用キャップであって、
前記キャップ本体の外筒部の前端部に、前方に開口し且つ径方向に貫通する係合孔を設け、前記係合孔が前端の広幅部と該広幅部より後方に連設される細幅部とを備え、
前記頭冠が、天板部と、該天板部と一体に連設された筒状部と、該筒状部の側壁に一体に連設される軸方向に延びるクリップとを備え、前記クリップと筒状部とを連結するクリップ基部の後側に軸方向に延びる板状リブを備え、前記筒状部の側壁に窓孔が径方向に貫設され、前記窓孔が前記板状リブから周方向に離れた位置に設けられ、
前記頭冠の筒状部が、前記内筒部外周面と前記外筒部内周面との間の環状隙間に挿入され、前記頭冠の窓孔から板状リブに至る、前記筒状部の外周面と前記キャップ本体の外筒部内周面との間に通気路が形成され、それと同時に、前記板状リブが前記係合孔に挿入されて、前記板状リブと前記係合孔の広幅部との間に径方向に貫通する外孔が形成され、
前記シール部が前記内孔を塞いでいない状態において、前記内孔と前記窓孔と前記通気路と前記外孔とを介して、キャップ本体内部と外気とが連通されることを特徴とする筆記具用キャップ。
【請求項２】
前記窓孔と板状リブとの間の筒状部外周面に凹部を形成し、前記凹部と前記外筒部内周面との間に通気路を形成した請求項１記載の筆記具用キャップ。
【発明の詳細な説明】
【技術分野】
【０００１】
本発明は、筆記具用キャップに関する。詳細には、キャップ本体と、該キャップ本体の前部に固着される頭冠と、前記キャップ本体内に軸方向可動に収容される内キャップとを備えた筆記具用キャップに関する。
【背景技術】
【０００２】
従来この種の筆記具用キャップにおいて、特許文献１には、キャップ装着時のキャップの内圧上昇を抑止するために、キャップ頭部の内筒の頂部中央の通気孔１１と、キャップ頭部に設けた切欠に連なる細隙１７と、クリップの係止片３１に設けたスリット３２とを介して、キャップ内部と外気とを連通する空気通路が構成される筆記具用キャップが開示されている（特許文献１の図４、図５参照）。前記特許文献１の筆記具用キャップは、クリップの係止片にスリットを設けるため、クリップの挟持力が低下するおそれがあった。
【先行技術文献】
【特許文献】
【０００３】
【特許文献１】特公平４−７７６７６号公報
【発明の概要】
【発明が解決しようとする課題】
【０００４】
本発明は前記従来の問題点を解決するものであって、キャップ装着時のキャップ内部の圧力上昇を十分に回避できるとともに、クリップの挟持力の低下を抑止できる筆記具用キャップを提供しようとするものである。
【０００５】
尚、本発明において、「前」とはキャップの閉塞側（頂部側）を指し、「後」とはキャップの開口側を指す。
【課題を解決するための手段】
【０００６】
本願の第１の発明は、キャップ本体２と、該キャップ本体２の前部に固着される頭冠６と、前記キャップ本体２内に軸方向可動に収容される内キャップ５とを備え、前記キャップ本体２が、両端が開口する外筒部３と、該外筒部３の中間部内壁より前方に連設される内筒部４とを備え、前記内筒部４の頂壁に軸方向に貫通する内孔４１を設け、前記内キャップ５の外面に、前記内筒部４の頂壁に圧接可能なシール部５１を設け、筆記具本体９のペン先９１側に装着した状態において、前記内キャップ５のシール部５１が前記内孔４１を塞いでなる筆記具用キャップであって、前記キャップ本体２の外筒部３の前端部に、前方に開口し且つ径方向に貫通する係合孔３１を設け、前記係合孔３１が前端の広幅部３１ａと該広幅部３１ａより後方に連設される細幅部３１ｂとを備え、前記頭冠６が、天板部６１と、該天板部６１と一体に連設された筒状部６２と、該筒状部６２の側壁に一体に連設される軸方向に延びるクリップ６３とを備え、前記クリップ６３と筒状部６２とを連結するクリップ基部の後側に軸方向に延びる板状リブ６３ａを備え、前記筒状部６２の側壁に窓孔６２ａが径方向に貫設され、前記窓孔６２ａが前記板状リブ６３ａから周方向に離れた位置に設けられ、前記頭冠６の筒状部６２が、前記内筒部４外周面と前記外筒部３内周面との間の環状隙間に挿入され、前記頭冠６の窓孔６２ａから板状リブ６３ａに至る、前記筒状部６２の外周面と前記キャップ本体２の外筒部３内周面との間に通気路７が形成され、それと同時に、前記板状リブ６３ａが前記係合孔３１に挿入されて、前記板状リブ６３ａと前記係合孔３１の広幅部３１ａとの間に径方向に貫通する外孔３ａが形成され、前記シール部５１が前記内孔４１を塞いでいない状態において、前記内孔４１と前記窓孔６２ａと前記通気路７と前記外孔３ａとを介して、キャップ本体２内部と外気とが連通されることを要件とする。
【０００７】
前記第１の発明の筆記具用キャップ１は、前記構成（前記キャップ本体２の外筒部３の前端部に、前方に開口し且つ径方向に貫通する係合孔３１を設け、前記係合孔３１が前端の広幅部３１ａと該広幅部３１ａより後方に連設される細幅部３１ｂとを備え、前記頭冠６が、天板部６１と、該天板部６１と一体に連設された筒状部６２と、該筒状部６２の側壁に一体に連設される軸方向に延びるクリップ６３とを備え、前記クリップ６３と筒状部６２とを連結するクリップ基部の後側に軸方向に延びる板状リブ６３ａを備え、前記筒状部６２の側壁に窓孔６２ａが径方向に貫設され、前記窓孔６２ａが前記板状リブ６３ａから周方向に離れた位置に設けられ、前記頭冠６の筒状部６２が、前記内筒部４外周面と前記外筒部３内周面との間の環状隙間に挿入され、前記頭冠６の窓孔６２ａから板状リブ６３ａに至る、前記筒状部６２の外周面と前記キャップ本体２の外筒部３内周面との間に通気路７が形成され、それと同時に、前記板状リブ６３ａが前記係合孔３１に挿入されて、前記板状リブ６３ａと前記係合孔３１の広幅部３１ａとの間に径方向に貫通する外孔３ａが形成され、前記シール部５１が前記内孔４１を塞いでいない状態において、前記内孔４１と前記窓孔６２ａと前記通気路７と前記外孔３ａとを介して、キャップ本体２内部と外気とが連通されること）により、キャップ装着時のキャップ内部の圧力上昇を十分に回避できるとともに、クリップ６３の挟持力の低下を抑止できる。
【０００８】
本願の第２の発明は、前記第１の発明の筆記具用キャップ１において、前記窓孔６２ａと板状リブ６３ａとの間の筒状部６２外周面に、凹部６２ｂを形成し、前記凹部６２ｂと前記外筒部３内周面との間に通気路７を形成したことを要件とする。
【０００９】
前記第２の発明の筆記具用キャップ１は、前記窓孔６２ａと板状リブ６３ａとの間の筒状部６２外周面に凹部６２ｂを形成し、前記凹部６２ｂと前記外筒部３内周面との間に通気路７を形成したことにより、十分な空気流通が可能な通気路７を確実に得ることができる。
【発明の効果】
【００１０】
本発明の筆記具用キャップは、キャップ装着時のキャップ内部の圧力上昇を十分に回避できるとともに、クリップの挟持力の低下を抑止できる。
【図面の簡単な説明】
【００１１】
【図１】本発明の実施の形態のキャップ装着完了前の状態を示す要部縦断面図である。
【図２】図１のＡ−Ａ線拡大断面図である。
【図３】図１のＢ−Ｂ線矢視断面図である。
【図４】図１の頭冠の斜視図である。
【図５】図１のキャップ装着完了後の状態を示す要部縦断面図である。
【発明を実施するための形態】
【００１２】
図１乃至図５に本発明の実施の形態を示す。
本実施の形態の筆記具用キャップ１は、キャップ本体２と、キャップ本体２内に軸方向可動に収容される内キャップ５と、キャップ本体２の頂部に固着されるクリップ６３を備えた頭冠６とからなる。
【００１３】
・キャップ本体
前記キャップ本体２は、両端が開口する円筒状の外筒部３と、該外筒部３の中間部内壁より前方に一体に連設される円筒状の内筒部４とを備える。前記内筒部４の頂壁の中央には内孔４１が軸方向に貫設される。前記内筒部４の開口端が前記外筒部３の中間部内壁と一体に連設される。前記キャップ本体２は、合成樹脂（例えばポリプロピレン、ポリエチレン等）の射出成形により得られる。前記内筒部４外周面と前記外筒部３内周面との間には環状隙間が形成される。
【００１４】
前記キャップ本体２の外筒部３の前端部の側壁には、前方に開口し且つ径方向に貫通する切欠状の係合孔３１が形成される。前記係合孔３１は、前端の広幅部３１ａと、該広幅部３１ａより後方に連設される細幅部３１ｂとからなる。前記細幅部３１ｂは、板状リブ６３ａの板厚と略同じに設定される。前記広幅部３１ａの幅寸法は、板状リブ６３ａの板厚よりも大きく設定される。前記広幅部３１ａは、前方に向かうに従い拡幅する形状を有する。
【００１５】
・内キャップ
前記キャップ本体２の内筒部４内には、軸方向に可動に内キャップ５が収容される。前記内キャップ５の前端には、内孔４１を閉鎖可能な弾性シール体が取り付けられる。前記弾性シール体の前端には、環状のシール部５１が形成されている。前記内筒部４内にはバネ５４（具体的には圧縮コイルスプリング）が収容される。前記内キャップ５の側壁外面には、前記バネ５４を受ける鍔部５２が形成される。また、前記内キャップ５の側壁には、前記内キャップ５の内部と外部とを連通させる複数の横孔５３が形成される。前記バネ５４の前端は、内筒部４の頂壁内面に当接され、前記バネ５４の後端は内キャップ５の鍔部５２に当接され、それにより、前記内キャップ５は前記バネ５４により後方に付勢される。
【００１６】
前記内筒部４の内周面には、内キャップ５の後端と当接して該内キャップ５の脱落を防止する抜け止め突起４２が一体に形成される。また、前記外筒部３の内周面には、筆記具本体９の外周面と気密嵌合する環状突起３２が一体に形成される。
【００１７】
・頭冠
前記頭冠６は、天板部６１と、該天板部６１と一体に連設された円筒状の筒状部６２と、該筒状部６２の側壁に一体に連設される、軸方向に延びるクリップ６３とからなる。前記頭冠６が合成樹脂（例えば、ポリカーボネイト）の射出成形により得られる。
【００１８】
前記天板部６１は、円板状であり、外筒部３の後端開口部を覆う。尚、前記天板部６１にも、キャップ本体２の内筒部４内と外気とを連通する通気用の孔を形成することもできる。
【００１９】
前記クリップ６３の基部は、筒状部６２の側壁に一体に連設される。前記クリップ６３の基部の後側に軸方向に延びる板状リブ６３ａが形成される。前記クリップ６３の後端部内面には、軸方向に延びるリブからなる挟持用の玉部６３ｂが一体に形成される。
【００２０】
前記筒状部６２の天板部６１近傍側壁に複数（具体的には２個）の窓孔６２ａが径方向に貫設される。前記窓孔６２ａは、前記板状リブ６３ａから周方向の両側に離れた位置に一対設けられる。前記窓孔６２ａと板状リブ６３ａは、前後方向の略同じ位置に設けられる。前記筒状部６２の外周面の、窓孔６２ａと板状リブ６３ａとの間には、凹部６２ｂが形成される。前記凹部６２ｂは、前記窓孔６２ａ近傍の他の外周面より径方向内方に窪んだ形状を有する。
【００２１】
・固着状態
前記頭冠６の筒状部６２が、前記内筒部４外周面と前記外筒部３内周面との間の環状隙間に嵌入され、それと同時に、前記板状リブ６３ａが前記係合孔３１に挿入される。前記頭冠６の筒状部６２は、前記内筒部４外周面と嵌合され、且つ、前記外筒部３内周面と嵌合される。それにより、前記頭冠６が前記キャップ本体２の頂部に固着される。
【００２２】
前記頭冠６と前記キャップ本体２との固着状態において、前記頭冠６の窓孔６２ａから板状リブ６３ａに至る、前記筒状部６２の外周面（凹部６２ｂ）とキャップ本体２の外筒部３内周面との間に通気路７が形成される。具体的には、前記頭冠６の窓孔６２ａから板状リブ６３ａに至る、前記筒状部６２の外周面の凹部６２ｂとキャップ本体２の外筒部３内周面との間に通気路７が形成される。前記凹部６２ｂ以外の筒状部６２外周面とキャップ本体２の筒状部６２外周面とが嵌合する。
【００２３】
前記頭冠６と前記キャップ本体２との固着状態において、前記板状リブ６３ａが前記係合孔３１に挿入されて、前記板状リブ６３ａが係合孔３１の細幅部３１ｂに係合されるとともに、前記板状リブ６３ａと前記係合孔３１の広幅部３１ａとの間に径方向に貫通する外孔３ａが形成される。前記通気路７が、前記窓孔６２ａと連通され、且つ、前記外孔３ａと連通さる。
【００２４】
前記頭冠６と前記キャップ本体２との固着状態において、前記内筒部４の頂壁前面と前記頭冠６の天板部６１後面の間には空間８が形成される。前記空間８は、内孔４１を介して内筒部４内部と連通され、且つ、窓孔６２ａを介して通気路７と連通される。前記頭冠６と前記キャップ本体２との固着状態において、前記通気路７は、前記窓孔６２ａを介して空間８内部と連通され、且つ、前記外孔３ａを介して外気と連通さる。
【００２５】
前記シール部５１が前記内孔４１を塞いでいない状態において、前記内孔４１、前記空間８、前記窓孔６２ａ、前記通気路７、及び前記外孔３ａを介して、前記キャップ本体２内部と外気とが連通される。
【００２６】
・作用
キャップを筆記具本体９のペン先９１側に完全に装着する以前の状態（図１）において、内キャップ５がバネ５４により後方に付勢され、該内キャップ５の前端が内筒部４内周面の抜け止め突起４２に当接している。このとき、内孔４１の頂壁内面とシール部５１とが非接触状態にあり、内孔４１は塞がれていない。それにより、キャップ本体２の内部のペン先９１が収容される空間は、前記内孔４１、前記空間８、前記窓孔６２ａ、前記通気路７、前記外孔３ａを介して、外気と連通している。
【００２７】
次に、キャップを筆記具本体９のペン先９１側に装着していくと、まず、筆記具本体９外面のペン先９１後方に位置する肩部９３が内キャップ５内面の段部に当接し、キャップの装着過程に従って、内キャップ５が前方に移動される。その後、図５に示すように、弾性シール体の前端の環状のシール部５１が内筒部４の頂壁内面に密接し、内孔４１が内側より塞がれると同時に、外筒部３の内周面の環状突起３２が筆記具本体９外周面の環状突起９２と乗り越えて気密嵌合する。それにより、キャップ内は、外気との空気流通が遮断される。
【００２８】
本実施の形態の筆記具用キャップ１は、前記構成（前記キャップ本体２の外筒部３の前端部に、前方に開口し且つ径方向に貫通する係合孔３１を設け、前記係合孔３１が前端の広幅部３１ａと該広幅部３１ａより後方に連設される細幅部３１ｂとを備え、前記頭冠６が、天板部６１と、該天板部６１と一体に連設された筒状部６２と、該筒状部６２の側壁に一体に連設される軸方向に延びるクリップ６３とを備え、前記クリップ６３と筒状部６２とを連結するクリップ基部の後側に軸方向に延びる板状リブ６３ａを備え、前記筒状部６２の側壁に窓孔６２ａが径方向に貫設され、前記窓孔６２ａが前記板状リブ６３ａから周方向に離れた位置に設けられ、前記頭冠６の筒状部６２が、前記内筒部４外周面と前記外筒部３内周面との間の環状隙間に挿入され、前記頭冠６の窓孔６２ａから板状リブ６３ａに至る、前記筒状部６２の外周面と前記キャップ本体２の外筒部３内周面との間に通気路７が形成され、それと同時に、前記板状リブ６３ａが前記係合孔３１に挿入されて、前記板状リブ６３ａと前記係合孔３１の広幅部３１ａとの間に径方向に貫通する外孔３ａが形成され、前記シール部５１が前記内孔４１を塞いでいない状態において、前記内孔４１と前記窓孔６２ａと前記通気路７と前記外孔３ａとを介して、キャップ本体２内部と外気とが連通されること）により、キャップ装着時のキャップ内部の圧力上昇を十分に回避できるとともに、クリップ６３の挟持力の低下を抑止できる。
【００２９】
本実施の形態の筆記具用キャップ１は、窓孔６２ａと板状リブ６３ａとの間の筒状部６２外周面に凹部６２ｂを形成し、前記凹部６２ｂと前記外筒部３内周面との間に通気路７を形成したことにより、十分な空気流通が可能な通気路７を確実に得ることができる。
【符号の説明】
【００３０】
１  筆記具用キャップ
２  キャップ本体
３  外筒部
３ａ  外孔
３１  係合孔
３１ａ  広幅部
３１ｂ  細幅部
３２  環状突起
４  内筒部
４１  内孔
４２  抜け止め突起
５  内キャップ
５１  シール部
５２  鍔部
５３  横孔
５４  バネ
６  頭冠
６１  天板部
６２  筒状部
６２ａ  窓孔
６２ｂ  凹部
６３  クリップ
６３ａ  板状リブ
６３ｂ  玉部
７  通気路
８  空間
９  筆記具本体
９１  ペン先
９２  環状突起
９３  肩部
【図１】
2014008667.tif 000003
【図２】
2014008667.tif 000004
【図３】
2014008667.tif 000005
【図４】
2014008667.tif 000006
【図５】
2014008667.tif 000007